(57)【要約】【課題】導光部材と、導光部材に相対して配置される補助部材を可撓性の部材で構成された照明器具において、導光部材及び補助部材を共に撓ませた際に、滑らかに沿って撓ませることができ、照明効率が低下せず、照明ムラのない照明器具を提供する。【解決手段】光源からの光を端面から入射させ導光する可撓性を有する導光シートと、導光シートの少なくとも何れか一方の面に相対して配置された補助シートと、導光シートの光源からの光が入射する端面側に配置された第１保持部材と、導光シートの光源からの光が入射する端面側と対向する端面側に配置された第２保持部材と、を有し、第１保持部材は導光シート及び補助シートを固定して保持し、第２保持部材は導光シート及び補助シートの何れかと固定され他を摺動可能に保持するか、第１保持部材及び第２保持部材は導光シートを固定すると共に補助シートを摺動可能に保持した照明器具とする。【選択図】図３
2012064442.tif 000002
【特許請求の範囲】
【請求項１】
光源と、
前記光源からの光を端面から入射させ導光する可撓性を有する導光シートと、
前記導光シートの少なくとも何れか一方の面に相対して配置された補助シートと、
前記導光シートの前記光源からの光が入射する端面側に配置された第１保持部材と、
前記導光シートの前記光源からの光が入射する端面側と対向する端面側に配置され、前記導光シート及び前記補助シートが離間しないよう保持する第２保持部材と、を有し、
前記第１保持部材は前記導光シート及び前記補助シートを固定して保持し、
前記第２保持部材は前記導光シート及び前記補助シートのうち何れか１つと固定され、他を摺動可能に保持したことを特徴とする照明器具。
【請求項２】
光源と、
前記光源からの光を端面から入射させ導光する可撓性を有する導光シートと、
前記導光シートの少なくとも何れか一方の面に相対して配置された補助シートと、
前記導光シートの前記光源からの光が入射する端面側に配置された第１保持部材と、
前記導光シートの前記光源からの光が入射する端面側と対向する端面側に配置され、前記導光シート及び前記補助シートが離間しないよう保持する第２保持部材と、を有し、
前記第１保持部材は前記導光シートを固定して保持すると共に、前記補助シートを摺動可能に保持し、
前記第２保持部材は前記導光シート及び前記補助シートを固定して保持したことを特徴とする照明器具。
【請求項３】
光源と、
前記光源からの光を端面から入射させ導光する可撓性を有する導光シートと、
前記導光シートの少なくとも何れか一方の面に相対して配置された補助シートと、
前記導光シートの前記光源からの光が入射する端面側に配置された第１保持部材と、
前記導光シートの前記光源からの光が入射する端面側と対向する端面側に配置され、前記導光シート及び前記補助シートが離間しないよう束ねて保持する第２保持部材と、を有し、
前記第１保持部材及び前記第２保持部材は、前記導光シートを固定すると共に前記補助シートを摺動可能に保持したことを特徴とする照明器具。
【請求項４】
前記補助シートは、反射面が形成された反射シート及び粗し面が形成された拡散シートの少なくともいずれかであることを特徴とする請求項１から３までの何れか一項に記載の照明器具。
【発明の詳細な説明】
【技術分野】
【０００１】
本発明は、照明器具に関するものである。
【背景技術】
【０００２】
従来より、エッジライト方式の照明器具が知られている。
【０００３】
エッジライト方式の照明器具として、導光板の一端面からＬＥＤの光を導光板内に入射させ、導光板内を全反射させて導き、導光板に点在させた拡散部により外へ出射させるものが知られている（例えば、特許文献１参照）。
【０００４】
このようなエッジライト方式のＬＥＤ照明器具において、ＬＥＤの光を薄い導光板の端面に効率よく導く為に、ＬＥＤ発光面の面方向と導光板の入射面の面方向が交差するように配置し、ＬＥＤの光を反射部材で反射させて導光板に入射させるものが知られている（例えば、特許文献２参照）。
【０００５】
一方、ＬＥＤを面状に配置した灯部と、灯部を取り付ける取り付け部と、基部とを備え、取り付け部を着脱可能にして、電気スタンドとした使用形態やフットライト等の壁掛け型の形態に変更可能とした照明器具も知られている（例えば、特許文献３参照）。
【先行技術文献】
【特許文献】
【０００６】
【特許文献１】特開平６−３１２６００号公報
【特許文献２】特開２００７−８０５３１号公報
【特許文献３】特開２００９−３０１８０６号公報
【発明の概要】
【発明が解決しようとする課題】
【０００７】
エッジライト方式のＬＥＤ照明器具において、所望の照明範囲や配光方向を変更可能とできるものが要望されている。
【０００８】
このような要望に対し、上記特許文献１、２には照明範囲や配光方向の変更や不使用時の形態に関しては、何ら考慮されておらず、また上記特許文献３に記載のような構成は、可撓性を有する導光板は柔らかく形状が不安定であるため不向きである。
【０００９】
しかしながら、所望の照明範囲や配光方向を変更するために、単に導光部材やこの導光部材に相対して配置される反射部材等の補助部材を可撓性の部材で構成しただけでは、導光部材と補助部材とが離間して撓んだりして、滑らかに沿って撓まないため、外観的に見苦しいだけでなく、照明効率の低下や照明ムラ等の問題が発生する。
【００１０】
本発明は上記問題に鑑み、導光部材と、この導光部材に相対して配置される補助部材を可撓性の部材で構成された照明器具において、導光部材及び補助部材を共に撓ませた際に、滑らかに沿って撓ませることができ、照明効率が低下せず、照明ムラのない照明器具を提供することを目的とするものである。
【課題を解決するための手段】
【００１１】
上記の目的は、下記の構成により達成される。
【００１２】
（１）光源と、前記光源からの光を端面から入射させ導光する可撓性を有する導光シートと、前記導光シートの少なくとも何れか一方の面に相対して配置された補助シートと、前記導光シートの前記光源からの光が入射する端面側に配置された第１保持部材と、前記導光シートの前記光源からの光が入射する端面側と対向する端面側に配置され、前記導光シート及び前記補助シートが離間しないよう保持する第２保持部材と、を有し、前記第１保持部材は前記導光シート及び前記補助シートを固定して保持し、前記第２保持部材は前記導光シート及び前記補助シートのうち何れか１つと固定され、他を摺動可能に保持したことを特徴とする照明器具。
【００１３】
（２）光源と、前記光源からの光を端面から入射させ導光する可撓性を有する導光シートと、前記導光シートの少なくとも何れか一方の面に相対して配置された補助シートと、前記導光シートの前記光源からの光が入射する端面側に配置された第１保持部材と、前記導光シートの前記光源からの光が入射する端面側と対向する端面側に配置され、前記導光シート及び前記補助シートが離間しないよう保持する第２保持部材と、を有し、前記第１保持部材は前記導光シートを固定して保持すると共に、前記補助シートを摺動可能に保持し、前記第２保持部材は前記導光シート及び前記補助シートを固定して保持したことを特徴とする照明器具。
【００１４】
（３）光源と、前記光源からの光を端面から入射させ導光する可撓性を有する導光シートと、前記導光シートの少なくとも何れか一方の面に相対して配置された補助シートと、前記導光シートの前記光源からの光が入射する端面側に配置された第１保持部材と、前記導光シートの前記光源からの光が入射する端面側と対向する端面側に配置され、前記導光シート及び前記補助シートが離間しないよう束ねて保持する第２保持部材と、を有し、前記第１保持部材及び前記第２保持部材は、前記導光シートを固定すると共に前記補助シートを摺動可能に保持したことを特徴とする照明器具。
【００１５】
（４）前記補助シートは、反射面が形成された反射シート及び粗し面が形成された拡散シートの少なくともいずれかであることを特徴とする前記（１）から（３）までの何れかに記載の照明器具。
【発明の効果】
【００１６】
本発明によれば、導光部材及び補助部材を共に撓ませた際に、滑らかに沿って撓ませることができ、照明効率が低下せず、照明ムラのない照明器具を提供することが可能となる。
【図面の簡単な説明】
【００１７】
【図１】本実施の形態に係る照明器具の照明ＯＦＦ時の状態を示す図である。
【図２】本実施の形態に係る照明器具の照明ＯＮ時の状態を示す図である。
【図３】第１の実施の形態に係る照明器具の構造を示す図である。
【図４】図３に示す束ね部材が基体部から離間し、照明シート部が撓まされたときの状態を示す拡大断面図である。
【図５】第１の実施の形態に係る照明器具の導光シート及び補助シートの保持の形態の変形例を示す拡大断面図である。
【図６】第２の実施の形態に係る照明器具の構造を示す図である。
【図７】第２の実施の形態に係る照明器具の導光シート及び補助シートの保持の形態の変形例を示す拡大断面図である。
【発明を実施するための形態】
【００１８】
以下、実施の形態により本発明を詳しく説明するが、本発明はこれに限定されるものではない。
【００１９】
図１は、本実施の形態に係る照明器具１の照明ＯＦＦ時の状態を示す図である。図１（ａ）は斜視図、図１（ｂ）は側面図である。
【００２０】
図２は、本実施の形態に係る照明器具１の照明ＯＮ時の状態を示す図である。図２（ａ）は斜視図、図２（ｂ）は側面図、図２（ｃ）は見る角度を変えた斜視図である。
【００２１】
図１及び図２に示すように、本実施の形態に係る照明器具１は大別して、基体部１０と光源部２０と、照明シート部３０と、シート束ね部４０で構成されている。
【００２２】
図１に示すように、照明器具１の照明シート部３０が基体部１０に略平行な状態となされ、全体として平板状となされているときは照明ＯＦＦとなる。
【００２３】
また、図２に示すように、照明シート部３０は可撓性を有しており、シート束ね部４０を基体部１０から離間させると光源部２０内の光源が発光し、この光は照明シート部３０の導光シート内を伝搬し、該導光シートに形成された拡散部により導光シート外に射出（図２（ｃ）に示す矢印）され照明を行うようになっている。
【００２４】
また、図２に示すように、シート束ね部４０の束ね部材４１には棒状部材５１が固定されている。棒状部材５１の一方の端部には磁石５２が形成され、他方の端部が束ね部材４１に固定されている。また、基体部１０のベース部材１１には、板状の磁性体８０が設けられ、棒状部材５１に形成された磁石５２の吸引力により、磁性体８０上の任意の位置で一方の端部を係止させることができるようになっている。これにより、照明シート部３０の撓み状態を任意に設定できるようになっている。なお、照明シート部３０の撓み状態を設定する部材は、これに限るものでなく、フレキシブルアームや形状記憶合金を用いたもの等でもよい。
【００２５】
また、照明ＯＦＦ時には、図１（ｂ）に示すように、照明シート部３０とベース部材１１の間に予め形成されている空間８１（後述の図３（ｂ）参照）に収納されるようになっている。
【００２６】
本実施の形態に係る照明器具１について、より詳しく説明する。
【００２７】
（第１の実施の形態）
図３は、第１の実施の形態に係る照明器具１の構造を示す図である。図３（ａ）は照明器具１の側面図、図３（ｂ）は光源部２０周辺（図３（ａ）に示すＸ部）の拡大断面図、図３（ｃ）はシート束ね部４０周辺（図３（ａ）に示すＹ部）の拡大断面図である。
【００２８】
同図（ａ）に示すように、本実施の形態に係る照明器具１の照明シート部３０は可撓性を有して形成されており、実線で示す照明ＯＦＦ時の状態と破線で示す照明ＯＮ時の状態を取り得るようになっている。なお、照明シート部３０の撓み状態を維持する棒状部材は図示では省略している。
【００２９】
同図（ｂ）に示すように、光源部２０の光源部カバー２１内にはＬＥＤ２２が、紙面表裏方向に複数個配置される。導光シート３２は、その端面がＬＥＤ２２の発光部に対向するように配置される。導光シート３２は、可撓性を有する略透明のシートであり、ＬＥＤ２２からの光が空気との境界面で全反射するよう表面が滑面で形成されている。また、導光シート３２の反射シート３１側の面には、印刷等による拡散反射部３２ａが点在して形成されている。この拡散反射部３２ａにより、導光シート３２内部で全反射した光は拡散反射され、導光シート３２の基体部１０側の面から出射されるようになっている。
【００３０】
また、導光シート３２の外側には、導光シート３２に相対して補助シートとしての反射シート３１が配置されている。反射シート３１には、導光シート３２側の面に反射面３１ａが形成され、外面側の面にはデザイン上の各種パターンが選択して形成される。この反射面は、導光シート３２から反射シート３１側に漏れ出る光を、導光シート３２方向に反射させるものである。なお、導光シート３２側の外面側の面に反射面、デザイン上の各種パターンの順に積層してもよい。
【００３１】
また、導光シート３２の基体部１０側には、導光シート３２に相対して補助シートとしての拡散シート３３が配置されている。拡散シート３３は、導光シート３２から出射される光及び反射シート３１で反射され導光シート３２を通過した光を拡散させ、基体部１０側に出射させるものである。拡散シート３３は、例えば、少なくとも何れか一方の面に粗し面が形成されているものであり、この拡散シート３３により照明ムラをより少なくし、均一な照明面とするものである。
【００３２】
また、同図（ｃ）に示すように、照明シート部３０の光源部２０と対向する側の端部には、シート束ね部４０が設けられている。シート束ね部４０は、束ね部材４１、磁石４５、導光シートを固定する固定部材４４で構成されている。
【００３３】
束ね部材４１の基体部１０側には、磁石４５が埋設されている。また、基体部１０のベース部材１１には、図示のごとく、磁性体１４が埋設されている。束ね部材４１は、この磁石４５と磁性体１４の吸引力により、照明器具１は全体として平板状の形態を維持できるようになっている。
【００３４】
また、ベース部材１１内には、束ね部材４１がベース部材１１と当接或いは極めて近接した状態となっているか否かを判別するスイッチ切片１２及び導電パターンの形成された基板１３が設けられている。スイッチ切片１２及び導電パターンは、不図示の制御部に接続されている。
【００３５】
スイッチ切片１２は、軸１７を回動軸として回動可能に構成され、基板１３とは離れる方向に圧縮コイルバネ１６により付勢されている。更に、スイッチ切片１２には、磁性体１５が固着されている。束ね部材４１がベース部材１１と当接或いは極めて近接した状態になると、磁性体１５が磁石４５により吸引され、スイッチ切片１２は、圧縮コイルバネ１６の付勢力に抗して基板１３に接触する。これにより、不図示の制御部は、照明器具１は全体として平板状の形態となったことを検知し、光源であるＬＥＤの発光を停止させるようになっている。
【００３６】
一方、束ね部材４１がベース部材１１から離間すると、磁性体１５への吸引力が低下し、スイッチ切片１２は、圧縮コイルバネ１６の付勢力により基板１３から離れる。これにより、不図示の制御部は、照明シート部３０が撓んだ形態となったことを検知し、光源であるＬＥＤの発光を開始させるようになっている。
【００３７】
第１の実施の形態に係る照明器具１の導光シート及び補助シートの保持形態は、以下のようになっている。
【００３８】
図３（ｂ）に示すように、内部にＬＥＤ２２が配置された光源部２０の光源部カバー２１は、反射シート３１、導光シート３２、拡散シート３３及びスペーサ２３と共に、ネジ等の固定部材２４により、基体部１０に固定されている。これにより、光源であるＬＥＤ２２からの光が入射する導光シート３２の端面及び補助シートである反射シート３１、拡散シート３３の端面は、移動及び変形できないように固定される。固定部材２４は、光源部カバー２１の両側端部及び中央部の３点程度で固定することが好ましい。固定部材２４の位置は、導光シート３２に入射後のＬＥＤ２２からの光を遮らないよう、ＬＥＤ２２の正面位置から、ずれて配置されていることが好ましい。また、固定部材２４によって導光シート３２の両端部で固定すると共に、間の領域である中央部には導光シート３２の一方の面側に磁石を配置し、他方の面側に磁性体の板を配置して、磁力により導光シート３２を挟持するようにしてもよい。この場合には、ＬＥＤ２２からの光を遮ることがなく、より好ましい。
【００３９】
また、図３（ｃ）に示すように、導光シート３２と束ね部材４１とは、ネジ等の固定部材４４により固定される。一方、反射シート３１及び拡散シート３３の端面部は固定されておらず、束ね部材４１に形成された長溝に挿入され、該長溝内で紙面上下辺方向に摺動可能となされている。更に、長溝部の底面は、反射シート３１及び拡散シート３３の端面と当接しないように空間４６を有して深く形成されている。
【００４０】
図４は、図３に示す束ね部材４１が基体部１０から離間し、照明シート部３０が撓まされたときの状態を示す拡大断面図である。
【００４１】
図４に示すように、束ね部材４１が基体部１０から離間し、照明シート部３０が図３（ａ）に破線で示すように撓まされると、導光シート３２より外側の反射シート３１の端面は破線で示すＡの位置から実線で示すＢの位置まで摺動移動する。また、導光シート３２より基体部１０側の拡散シート３３の端面は破線で示すＡの位置から実線で示すＢの位置に摺動移動する。
【００４２】
逆に、束ね部材４１が基体部１０から離間した状態から、基体部１０に近接する状態となる際には、導光シート３２より外側の反射シート３１の端面は実線で示すＢの位置から破線で示すＡの位置まで摺動移動し、図３（ｃ）に示す状態に復帰する。また、導光シート３２より基体部１０側の拡散シート３３の端面は実線で示すＢの位置から破線で示すＡの位置に摺動移動し、図３（ｃ）に示す状態に復帰する。
【００４３】
すなわち、第１の実施の形態に係る照明器具１は、光源部カバー２１で導光シート３２と補助シートである反射シート３１及び拡散シート３３を固定保持し、束ね部材４１で導光シート３２を固定し、反射シート３１と拡散シート３３を摺動可能に保持したものである。
【００４４】
これにより、照明シート部３０が撓んだ状態での各シートの曲げＲの違いを、摺動可能となしたシートを摺動させることで吸収し、導光シート３２及び補助シートである反射シート３１と拡散シート３３のそれぞれの間隔を略一定に維持させることができるようになる。このようにして各シート間の間隔を略一定に保つことで照明効率を低下させず、照明ムラのない照明器具１を提供することができる。
【００４５】
（変形例）
図５は、第１の実施の形態に係る照明器具１の導光シート及び補助シートの保持の形態の変形例を示す拡大断面図である。図５（ａ）は照明ＯＦＦ状態を示し、図５（ｂ）は照明ＯＮ状態を示している。なお、光源部２０側の導光シート３２と補助シートである反射シート３１及び拡散シート３３は、図３（ｂ）と同様に固定保持されている。
【００４６】
図５（ａ）に示すように、変形例に係るシート束ね部４０の束ね部材４１は、ネジ等の固定部材４４により反射シート３１を固定している。一方、導光シート３２及び拡散シート３３の端面部は固定されておらず、束ね部材４１に形成された長溝に挿入されており、該長溝内で紙面上下辺方向に摺動可能となされている。更に、長溝部の底面は、導光シート３２及び拡散シート３３の端面より隙間を有して形成されている。
【００４７】
図５（ｂ）に示すように、束ね部材４１が基体部１０から離間し、照明シート部３０が撓まされると、反射シート３１より内側の導光シート３２及び拡散シート３３の端面は、それぞれ破線で示すＡの位置から実線で示すＢの位置まで摺動移動する。
【００４８】
逆に、束ね部材４１が基体部１０から離間した状態から、基体部１０に近接する状態となる際には、反射シート３１より内側の導光シート３２及び拡散シート３３の端面は実線で示すＢの位置から破線で示すＡの位置まで摺動移動し、図５（ａ）に示す状態に復帰する。
【００４９】
すなわち、変形例に係る照明器具１は、光源部カバー２１側で導光シート３２と補助シートである反射シート３１及び拡散シート３３を固定保持し、束ね部材４１側で反射シート３１を固定すると共に、導光シート３２と拡散シート３３を摺動可能に保持したものである。
【００５０】
このように構成しても、照明シート部３０が撓んだ状態での各シートの曲げＲの違いを、摺動可能となしたシートを摺動させて吸収し、導光シート３２と補助シートである反射シート３１及び拡散シート３３のそれぞれの間隔を略一定に維持させることができるようになる。これにより、各シート間の間隔を略一定に保つことができ、照明効率を低下させず、照明ムラのない照明器具１を提供することができる。
【００５１】
また、図５に示す変形例では、束ね部材４１で反射シート３１を固定した例を示したが、拡散シート３３を固定すると共に、導光シート３２と反射シート３１を摺動可能に保持した構成でもよい。
【００５２】
（第２の実施の形態）
図６は、第２の実施の形態に係る照明器具１の構造を示す図である。図６（ａ）は光源部２０周辺の拡大断面図、図６（ｂ）はシート束ね部４０周辺の拡大断面図、図６（ｃ）は束ね部材４１が基体部１０から離間し、照明シート部３０が撓まされたときの状態を示す拡大断面図である。
【００５３】
第２の実施の形態に係る照明器具１の導光シート及び補助シートの保持形態は、以下のようになっている。
【００５４】
図６（ａ）に示すように、内部にＬＥＤ２２が配置された光源部２０の光源部カバー２１は、導光シート３２がスペーサ２３と共に、ネジ等の固定部材２４により、基体部１０に固定されている。これにより、光源であるＬＥＤ２２からの光が入射する導光シート３２の端面は、移動及び変形できないように固定される。固定部材２４は、光源部カバー２１の両側端部及び中央部の３点程度で固定することが好ましい。固定部材２４の位置は、導光シート３２に入射後のＬＥＤ２２からの光を遮らないよう、ＬＥＤ２２の正面位置から、ずれて配置されていることが好ましい。また、固定部材２４によって導光シート３２の両端部で固定すると共に、間の領域である中央部領域には導光シート３２の一方の面側に磁石を配置し、他方の面側に磁性体の板を配置して、磁力により導光シート３２を挟持するようにしてもよい。この場合には、ＬＥＤ２２からの光を遮ることがなく、より好ましい。
【００５５】
一方、反射シート３１及び拡散シート３３の端面部は固定されておらず、光源部カバー２１に形成された凹部とスペーサ２３の間に挿入され、空間２６を有して紙面上下辺方向に摺動可能となされている。
【００５６】
また、図６（ｂ）に示すように、導光シート３２と束ね部材４１とは、ネジ等の固定部材４４により固定されている。一方、反射シート３１及び拡散シート３３の端面部は固定されておらず、束ね部材４１に形成された長溝に挿入され、該長溝内で紙面上下辺方向に摺動可能となされている。このため、反射シート３１及び拡散シート３３の端面部は、自重で長溝部の底面に当接した状態となっている。
【００５７】
図６（ｃ）に示すように、束ね部材４１が基体部１０から離間し、照明シート部３０が撓まされると、反射シート３１及び拡散シート３３の、束ね部材４１側の端面部は底面に当接した状態で、光源部カバー２１側の端面部が空間２６内で摺動移動する。より詳しくは、導光シート３２より外側の反射シート３１の端面は、光源部カバー２１側で、曲げＲの違いを吸収するために、空間２６が狭くなるように摺動移動する。また、導光シート３２より基体部１０側の拡散シート３３の端面は、光源部カバー２１側で、曲げＲの違いを吸収するために、空間２６が広くなるように摺動移動する。
【００５８】
すなわち、第２の実施の形態では光源部カバー２１及び束ね部材４１で導光シート３２のみを固定保持し、照明シート部３０が撓んだ状態での各シートの曲げＲの違いを、光源部カバー２１側の空間２６内で摺動移動させることで吸収するようにしたものである。
【００５９】
逆に、束ね部材４１が基体部１０から離間した状態から、基体部１０に近接する状態となる際には、上述と同様に、図６（ａ）、（ｂ）に示す状態に復帰する。
【００６０】
このように構成することで、上記第１の実施の形態の照明器具１の効果に加え、反射シート３１及び拡散シート３３の両端が固定されていないため、ユーザによる交換が容易となる。例えば、反射シート３１及び拡散シート３３に各種のバリエーションを用意しておき、ユーザの好みに応じて選択してもらい、ユーザによって容易に交換することも可能となる。
【００６１】
（変形例）
図７は、第２の実施の形態に係る照明器具１の導光シート及び補助シートの保持の形態の変形例を示す拡大断面図である。図７（ａ）は光源部２０周辺の拡大断面図、図７（ｂ）は照明ＯＦＦ時のシート束ね部４０周辺の拡大断面図、図７（ｃ）は束ね部材４１が基体部１０から離間し、照明シート部３０が撓まされて照明ＯＮされたときの状態を示す拡大断面図である。
【００６２】
光源部２０側では導光シート３２のみが固定保持され、反射シート３１及び拡散シート３３は摺動可能に保持されている。すなわち、図６（ａ）に示すものと同様である。
【００６３】
図７に示す変形例は、束ね部材４１側で、導光シート３２、反射シート３１及び拡散シート３３が、固定部材４４により固定されている例である。
【００６４】
図７（ｃ）に示すように、束ね部材４１が基体部１０から離間し、照明シート部３０が撓まされると、反射シート３１及び拡散シート３３の束ね部材４１側の端面部は固定されているため、光源部カバー２１側の端面部が空間２６内で摺動移動する。より詳しくは、導光シート３２より外側の反射シート３１の端面は、光源部カバー２１側で、曲げＲの違いを吸収するために、空間２６が狭くなるように摺動移動する。また、導光シート３２より基体部１０側の拡散シート３３の端面は、光源部カバー２１側で、曲げＲの違いを吸収するために、空間２６が広くなるように摺動移動する。
【００６５】
すなわち、この変形例に係る照明器具１は、光源部カバー２１側で導光シート３２のみを固定保持して反射シート３１及び拡散シート３３を摺動可能とし、束ね部材４１側で反射シート３１、導光シート３２及び拡散シート３３を固定保持したものである。
【００６６】
このように構成しても、導光シート３２と補助シートである反射シート３１及び拡散シート３３のそれぞれの間隔を略一定に維持させることができるようになる。これにより、各シート間の間隔を略一定に保つことができ、照明効率を低下させず、照明ムラのない照明器具１を提供することができる。
【００６７】
なお、上記の第１、第２の実施の形態及びその変形例においては、光源部カバー２１が第１保持部材に相当し、束ね部材４１が第２保持部材に相当する。
【００６８】
なお、本実施の形態では、照明シート部３０として導光シート３２と補助シートである反射シート３１及び拡散シート３３を備えたもので説明したが、これに限るものでなく、導光シート３２と反射シート３１のみを備えた場合や、導光シート３２と拡散シート３３のみを備えた場合にも適用可能である。
【００６９】
また、上記の実施の形態においては、照明シート部の撓みを維持するものとして、棒状部材と磁石を用いたもので説明したが、これに限るものでないのはもちろんである。
【符号の説明】
【００７０】
１  照明器具
１０  基体部
１１  ベース部材
１２  スイッチ切片
１３  基板
１６  圧縮コイルバネ
１７  軸
２０  光源部
２１  光源部カバー
２２  ＬＥＤ
２３  スペーサ
２４、４４  固定部材
２６、４６、８１  空間
３０  照明シート部
３１  反射シート
３１ａ  反射面
３２  導光シート
３２ａ  拡散反射部
３３  拡散シート
４０  シート束ね部
４１  束ね部材
５１  棒状部材
４５、５２  磁石
１４、１５、８０  磁性体
【図１】
2012064442.tif 000003
【図２】
2012064442.tif 000004
【図３】
2012064442.tif 000005
【図４】
2012064442.tif 000006
【図５】
2012064442.tif 000007
【図６】
2012064442.tif 000008
【図７】
2012064442.tif 000009